(57)【要約】【課題】作業担当者、運転責任者及び制御所の間で停電作業の進捗状況に関する情報を共有化して、停電作業の円滑な実行と管理を行うことができる作業進捗状況管理システムを提供する。【解決手段】発変電設備３２の停電作業を行う際の作業の進捗状況を管理する作業進捗状況管理システム１０であって、作業担当者４２の作業担当者用端末１４、運転責任者４４の運転責任者用端末１６、制御所担当者４６の制御所用端末１８のそれぞれがサーバ１２に接続されており、各端末に入力された作業進捗状況の情報がサーバ１２を介して各者間で作業進捗状況の情報を共有化することができる。これによって、停電作業の効率化が図られて作業時間を短縮化することができ、作業コストを削減することができる。【選択図】図１
2012256206.tif 000002
【特許請求の範囲】
【請求項１】
制御所で発変電設備を遠隔操作によって停止させる制御所担当者、該制御所担当者と協働して前記発変電設備を現地操作で停止させる運転責任者及び前記発変電設備の停止によって該発変電設備の電力系統が停電した後に前記発変電設備の点検・修理を行う作業担当者によって実行される停電作業を管理する作業進捗状況管理システムであって、
作業担当者用端末、運転責任者用端末、制御所用端末がネットワークを介してサーバに接続され、
前記サーバは、
前記作業担当者が行う停電作業内容を表す作業担当者用作業項目データ、前記運転責任者が行う停電作業内容を表す運転責任者用作業項目データ、及び前記制御所担当者が行う停電作業内容を表す制御所担当者用作業項目データを有する作業項目データを格納するデータベースを備え、
前記作業担当者用端末は、
前記作業担当者用作業項目データが表示される表示部と、該作業担当者用作業項目データに含まれる作業担当者の作業進捗状況のデータが入力される入力部と、を備え、該入力の内容に基づいて前記サーバに格納された前記作業項目データを更新させ、
前記運転責任者用端末は、
前記運転責任者用作業項目データが表示される表示部と、該運転責任者用作業項目データに含まれる前記作業担当者への作業指示を表す運転責任者の作業指示のデータが入力される入力部と、を備え、該入力の内容に基づいて前記サーバに格納された前記作業項目データを更新させ、
前記制御所用端末は、
前記制御所担当者用作業項目データが表示される表示部と、該制御所担当者用作業項目データに含まれる制御所の作業進捗状況のデータ及び前記運転責任者への作業指示を表す制御所の作業指示のデータが入力される入力部と、を備え、該入力の内容に基づいて前記サーバに格納された前記作業項目データを更新させ、
前記制御所の作業指示のデータは、
前記発変電設備の現地操作による停止を指示して前記停電作業の開始を指示する作業開始項目データを含み、
前記運転責任者の作業指示のデータは、
前記運転責任者用端末の表示部に表示された前記発変電設備の停止の指示に基づいて前記発変電設備の停止が実行された後に前記発変電設備の点検・修理を指示して前記停電作業への着手を指示する作業着手項目データを含み、
前記作業担当者の作業進捗状況のデータは、
前記作業担当者用端末の表示部に表示された前記発変電設備の点検・修理の指示に基づいて前記発変電設備の点検・修理が実行された後に前記発変電設備の点検・修理の終了を表示する作業終了項目データを含み、
前記制御所の作業進捗状況のデータは、
前記運転責任者用端末の表示部に表示された前記発変電設備の点検・修理の終了の表示に基づいて前記発変電設備の現地操作による復旧が完了した後に前記発変電設備の復旧の完了を表示する作業完了項目データを含む、
ことを特徴とする作業進捗状況管理システム。
【請求項２】
前記サーバは、
前記作業担当者、前記運転責任者及び前記制御所担当者によって実行される全ての作業進捗状況及び作業指示が表示される表示部と、
前記全ての作業進捗状況に基づく作業指示が作業管理指示データとして入力される入力部と、
入力された前記作業管理指示データを前記作業担当者用端末または前記運転責任者用端末または前記制御所用端末に送信する送信部と、
を備えることをと特徴とする請求項１に記載の作業進捗状況管理システム。
【請求項３】
前記データベースは、
前記制御所作業指示データ、前記運転責任者作業指示データ、前記作業担当者作業進捗状況データ及び前記制御所作業進捗状況データを次回以降の停電作業における参照データとして蓄積することを特徴とする請求項１または２に記載の作業進捗状況管理システム。
【請求項４】
前記サーバは、
前記運転責任者及び前記作業担当者が前記発変電設備の現地に到着するまでの交通情報及び前記発変電設備までの走行ルートを取得する情報取得手段と、
該情報取得手段から取得した交通情報と前記走行ルート情報とに基づいて前記発変電設備に到着する予定時刻を算出する予定時刻算出手段と、
を備えることを特徴とする請求項１〜３のいずれか１項に記載の作業進捗状況管理システム。
【請求項５】
前記サーバは、
前記作業項目データとして表される前記停電作業内容が開始される予定時刻が事前に登録され、該登録された予定時刻の前または後に前記作業担当者用端末、前記運転責任者用端末及び前記制御所用端末に前記停電作業内容の開始を通知する停電作業内容開始通知手段を備えることを特徴とする請求項１〜４のいずれか１項に記載の作業進捗状況管理システム。
【請求項６】
前記作業担当者作業進捗状況データ、前記運転責任者作業指示データ、前記制御所作業指示データ及び／または前記制御所作業進捗状況データが対応する各端末のいずれかに入力された際に、該入力された端末以外の各端末に前記各データの入力が完了したことを通知することを特徴とする請求項１〜５のいずれか１項に記載の作業進捗状況管理システム。
【請求項７】
前記データベースは、
前記交通情報を次回以降の停電作業における参照データとして蓄積することを特徴とする請求項１〜６のいずれか１項に記載の作業進捗状況管理システム。
【請求項８】
前記作業担当者用作業項目データは、
前記停電作業を実行する際の安全性を確保するための作業用接地を行う手順を説明するデータを含むことを特徴とする請求項１〜７のいずれか１項に記載の作業進捗状況管理システム。
【発明の詳細な説明】
【技術分野】
【０００１】
本発明は、作業進捗状況管理システム、特に、発変電所において停電作業を行う際の作業進捗状況の管理を行う作業進捗状況管理システムに関する。
【背景技術】
【０００２】
発変電所における発変電設備の点検や工事等を行う際に、発変電設備を停止させてこの発変電設備を起点とする電力系統を停電させる場合がある（停電作業）。停電作業は、停電作業の実施に先立って策定された停電作業実施計画に基づいて、発変電所に赴く電力供給事業者の作業担当者及び運転責任者と、発変電設備を遠隔操作する制御所の制御所担当者とによって実行される。この停電作業は、連続する各作業工程が作業担当者及び運転責任者、制御所担当者の間で分担され、その連続する順序通りに各作業工程が実行される必要がある。この停電作業の概略について、図９に基づいて説明する。
【０００３】
図示のように、作業担当者及び運転責任者が発変電設備の現地に到着した後（ステップＳ１００）、制御所が、発変電器を遠隔操作によって停止させて停電操作を行う（ステップＳ１０１）。これに伴って停電作業が開始となり、運転責任者が、発変電設備の現地において、発変電設備の停電操作を実行する（ステップＳ１０２）。これによって停電作業が着手されたこととなり、作業担当者が、作業用接地を行うための乙アースを発変電設備に取り付ける（ステップＳ１０３）。乙アースの取り付けとともに、危険区画に標示が付けられる（ステップＳ１０４）。かかる後、発変電設備の点検や工事等の実作業（ステップＳ１０５）が、主に作業担当者によって実行される。
【０００４】
実作業が終了した後、運転責任者によって、発変電設備の現地での復旧操作が実行される（ステップＳ１０６）。その後、制御所によって、発変電設備の復旧操作が遠隔操作によって実行される（ステップＳ１０７）。発変電設備が復旧して通常運転が再開した後、作業担当者及び運転責任者が現場確認を行い（ステップＳ１０８）、発変電設備の現場での作業が終了し、作業担当者及び運転責任者が事務所に帰着する（ステップＳ１０９）。
【０００５】
このような停電作業を含む発変電設備で行われる各種の作業の際の留意事項等が項目として保存されたデータベースを有する作業管理システムが、特許文献１に開示されている。特許文献１で開示される作業管理システムによると、例えば、作業内容が停電作業であれば、発変電設備の作業における各種の留意事項等が項目化されたデータベースから、停電作業に関する項目を検索し、検索結果を作業確認票として出力し、出力した作業確認票に基づいて、作業担当者と運転責任者が、停電作業に関する留意事項について事前に情報を共有することができる。
【先行技術文献】
【特許文献】
【０００６】
【特許文献１】特開２００７−２９９１７５号公報
【発明の概要】
【発明が解決しようとする課題】
【０００７】
上記特許文献１によると、停電作業の実施前に、停電作業で留意すべき事項を予め確認することはできるものの、作業担当者や運転責任者が、停電作業の実行中に互いの作業の進捗状況を確認することはできない。従って、作業担当者や運転責任者が所属する電力供給事業者が、現地における作業の進捗状況を確認するために、現地に電話をして確認することがある。
【０００８】
ところが、停電作業は、かかる作業が実行される発変電設備の規模や状況によっては、作業担当者が発変電設備の構内を慌ただしく往来して行われることとなる。このような状況の中で、発変電設備に配置されている電話が作業現場から離れている場合は、作業担当者が電話に気付かない場合がある。また、作業担当者の携帯電話に電話をして作業の進捗状況を確認することも考えられるが、この電話対応によって作業担当者の作業進行に支障をきたすことがある。特に、何らかのトラブルの発生等によって作業の進行が予定より遅れている場合等は、作業担当者の携帯電話に連絡をすると作業担当者に更なる負担をかけることとなり、作業の進行が更に遅延する可能性がある。更に、上述のように、作業担当者は慌ただしく発変電設備の構内を往来することから、現地にいる運転責任者であっても、作業担当者の作業進捗状況を理解・把握していない場合があり、作業担当者と運転責任者との間であっても作業の進捗状況の確認ができない可能性がある。
【０００９】
本発明は、上記課題に鑑みてなされたものであり、その目的は、作業担当者、運転責任者及び制御所担当者の間で停電作業の進捗状況に関する情報を共有化して、停電作業の円滑な実行と管理を行うことができる作業進捗状況管理システムを提供することにある。
【課題を解決するための手段】
【００１０】
上記目的を達成するための請求項１に記載の発明による作業進捗状況管理システムは、制御所で発変電設備を遠隔操作によって停止させる制御所担当者、該制御所担当者と協働して前記発変電設備を現地操作で停止させる運転責任者及び前記発変電設備の停止によって該発変電設備の電力系統が停電した後に前記発変電設備の点検・修理を行う作業担当者によって実行される停電作業を管理する作業進捗状況管理システムであって、作業担当者用端末、運転責任者用端末、制御所用端末がネットワークを介してサーバに接続され、前記サーバは、前記作業担当者が行う停電作業内容を表す作業担当者用作業項目データ、前記運転責任者が行う停電作業内容を表す運転責任者用作業項目データ、及び前記制御所担当者が行う停電作業内容を表す制御所担当者用作業項目データを有する作業項目データを格納するデータベースを備え、前記作業担当者用端末は、前記作業担当者用作業項目データが表示される表示部と、該作業担当者用作業項目データに含まれる作業担当者の作業進捗状況のデータが入力される入力部と、を備え、該入力の内容に基づいて前記サーバに格納された前記作業項目データを更新させ、前記運転責任者用端末は、前記運転責任者用作業項目データが表示される表示部と、該運転責任者用作業項目データに含まれる前記作業担当者への作業指示を表す運転責任者の作業指示のデータが入力される入力部と、を備え、該入力の内容に基づいて前記サーバに格納された前記作業項目データを更新させ、前記制御所用端末は、前記制御所担当者用作業項目データが表示される表示部と、該制御所担当者用作業項目データに含まれる制御所の作業進捗状況のデータ及び前記運転責任者への作業指示を表す制御所の作業指示のデータが入力される入力部と、を備え、該入力の内容に基づいて前記サーバに格納された前記作業項目データを更新させ、前記制御所の作業指示のデータは、前記発変電設備の現地操作による停止を指示して前記停電作業の開始を指示する作業開始項目データを含み、前記運転責任者の作業指示のデータは、前記運転責任者用端末の表示部に表示された前記発変電設備の停止の指示に基づいて前記発変電設備の停止が実行された後に前記発変電設備の点検・修理を指示して前記停電作業への着手を指示する作業着手項目データを含み、前記作業担当者の作業進捗状況のデータは、前記作業担当者用端末の表示部に表示された前記発変電設備の点検・修理の指示に基づいて前記発変電設備の点検・修理が実行された後に前記発変電設備の点検・修理の終了を表示する作業終了項目データを含み、前記制御所の作業進捗状況のデータは、前記運転責任者用端末の表示部に表示された前記発変電設備の点検・修理の終了の表示に基づいて前記発変電設備の現地操作による復旧が完了した後に前記発変電設備の復旧の完了を表示する作業完了項目データを含む、ことを特徴とする。
【００１１】
この構成によれば、サーバのデータベースに格納された作業項目データに、作業担当者用端末、運転責任者用端末及び制御所用端末がネットワークを介してアクセスし、各端末の表示部に作業項目データを表示させる。そして、各端末に表示された作業項目データに基づいて作業進捗状況または作業指示のデータが各端末の入力部に入力されると、その入力内容がサーバで更新される。従って、停電作業中に作業担当者及び運転責任者、制御所担当者により入力された停電作業内容の進捗状況に関する作業進捗状況データや、制御所担当者、運手責任者により入力された停電作業内容の作業指示に関する作業指示データを作業担当者及び運転責任者、制御所担当者の間で共有することができる。その結果、作業担当者、運転責任者及び制御所担当者がそれぞれ相互に作業の進捗状況や作業指示を把握したうえで作業を進めることが可能となる。
【００１２】
特に、作業担当者及び運転責任者、制御所担当者にそれぞれ分担された一連の各作業工程を順序通りに実行する必要がある停電作業において、作業の進行状況を全体的に把握できることから、一の作業工程から次の作業工程に移行する際のタイミングを、ずれることなく把握することができ、作業担当者の実行する停電作業内容と運転責任者の実行する停電作業内容、及び制御所担当者の実行する停電作業内容の間の連携がスムーズになされ、円滑な停電作業を実現することができる。
【００１３】
より具体的には、停電作業の開始の指示が作業開始項目データとして制御所用端末に入力され、入力された内容に基づいて停電作業が開始された後に実行される具体的な停電作業の着手の指示が、運転責任者用端末に作業着手項目データとして入力される。更に、作業着手項目データとして入力された内容に基づいて具体的な停電作業が実行されて停電作業が終了したことの作業進捗状況が作業終了項目データとして制御所用端末に入力され、入力された内容に基づいて発変電設備の復旧が実行されて停電作業が完了したことの作業進捗状況が作業完了項目データとして制御所用端末に入力される。これによって、作業担当者、運転責任者、制御所担当者に分担された停電作業における一連の各作業工程が、作業担当者及び運転責任者、制御所担当者によって各作業工程の順序通りに円滑に実行される。
【００１４】
請求項２に記載の発明による作業進捗状況管理システムは、請求項１に記載の作業進捗状況管理システムにおいて、前記サーバは、前記作業担当者、前記運転責任者及び前記制御所担当者によって実行される全ての作業進捗状況及び作業指示が表示される表示部と、前記全ての作業進捗状況に基づく作業指示が作業管理指示データとして入力される入力部と、入力された前記作業管理指示データを前記作業担当者用端末または前記運転責任者用端末または前記制御所用端末に送信する送信部と、を備えることをと特徴とする。
【００１５】
この構成によれば、各端末に入力された作業進捗状況データや作業指示データがサーバの表示部に表示されることから、サーバを管理する者が現地における停電作業の全体の作業進捗状況を把握することができる。従って、サーバを管理する者が停電作業の全体を俯瞰し、実行されている停電作業の進み具合または遅れ具合を停電作業計画と対比したうえで、現地に対する作業指示を作業管理指示データとして入力することが可能となることから、停電作業の効率化を図ることができる。
【００１６】
請求項３に記載の発明による作業進捗状況管理システムは、請求項１または２に記載の作業進捗状況管理システムにおいて、前記データベースは、前記制御所作業指示データ、前記運転責任者作業指示データ、前記作業担当者作業進捗状況データ及び前記制御所作業進捗状況データを次回以降の停電作業における参照データとして蓄積することを特徴とする。
【００１７】
この構成によれば、今回の停電作業内容について記憶された停電作業内容の作業進捗状況データや作業指示データを次回以降の停電作業で参照することによって、今回の作業内容を踏まえた効率的な停電作業を実行することができる。
【００１８】
請求項４に記載の発明による作業進捗状況管理システムは、請求項１〜３のいずれか１項に記載の作業進捗状況管理システムにおいて、前記サーバは、前記運転責任者及び前記作業担当者が前記発変電設備の現地に到着するまでの交通情報及び前記発変電設備までの走行ルートを取得する情報取得手段と、該情報取得手段から取得した交通情報と前記走行ルート情報とに基づいて前記発変電設備に到着する予定時刻を算出する予定時刻算出手段と、を備えることを特徴とする。
【００１９】
この構成によれば、作業担当者及び運転責任者が発変電設備に向かって出発する際には、最適な走行ルートが検索され、検索された走行ルート情報と交通情報とに基づいて発変電設備へ到着する予定時刻が算出されることから、現地への到着予定時刻に合わせた停電作業の開始時刻を算出することができる。従って、停電作業の開始予定時刻に合わせて停電作業の作業管理を行うことができることから、作業担当者及び運転責任者の効率的な労務管理が実現される。一方、周辺の交通事情を考慮したうえで、停電作業の臨機応変な変更も行うことができる。
【００２０】
請求項５に記載の発明による作業進捗状況管理システムは、請求項１〜４のいずれか１項に記載の作業進捗状況管理システムにおいて、前記サーバは、前記作業項目データとして表される前記停電作業内容が開始される予定時刻が事前に登録され、該登録された予定時刻の前または後に前記作業担当者用端末、前記運転責任者用端末及び前記制御所用端末に前記停電作業内容の開始を通知する停電作業内容開始通知手段を備えることを特徴とする。
【００２１】
この構成によれば、開始予定時刻に実行されることが望ましい停電作業内容について、予定時間を事前に登録して通知することによって、その停電作業内容を実行する作業担当者または運転責任者あるいは制御所担当者に、当該停電作業内容の予定時間通りの実行を促すことができる。
【００２２】
請求項６に記載の発明による作業進捗状況管理システムは、請求項１〜５のいずれか１項に記載の作業進捗状況管理システムにおいて、前記作業担当者作業進捗状況データ、前記運転責任者作業指示データ、前記制御所作業指示データ及び／または前記制御所作業進捗状況データが対応する各端末のいずれかに入力された際に、該入力された端末以外の各端末に前記各データの入力が完了したことを通知することを特徴とする。
【００２３】
この構成によれば、停電作業を実行する際に作業担当者と運転責任者との間で連携が必要となる作業開始項目データ、作業着手項目データ、作業終了項目データ、作業完了項目データに含まれる作業進捗状況データ及び、または作業指示データが入力されると、入力された端末以外の端末に、作業進捗状況データあるいは作業指示データの入力がなされた旨の通知がなされることから、停電作業の実行に際して作業の連携をより効率的に図ることができる。
【００２４】
請求項７に記載の発明による作業進捗状況管理システムは、請求項１〜６のいずれか１項に記載の作業進捗状況管理システムにおいて、前記データベースは、前記交通情報を次回以降の停電作業における参照データとして蓄積することを特徴とする。
【００２５】
この構成によれば、今回の停電作業を実行した日時の交通情報によって、特定の月日において発変電設備までの走行ルートが混雑する等の傾向を把握することができることから、次回以降の停電作業の日時設定や走行ルートの変更等に臨機応変に対応することができる。
【００２６】
請求項８に記載の発明による作業進捗状況管理システムは、請求項１〜７のいずれか１項に記載の作業進捗状況管理システムにおいて、前記作業担当者用作業項目データは、前記停電作業を実行する際の安全性を確保するための作業用接地を行う手順を説明するデータを含むことを特徴とする。
【００２７】
この構成によれば、作業の安全性を確保するための作業用接地を実行する手順を説明するデータが、作業担当者用作業項目データに含まれていることから、作業担当者が、作業担当者用端末で作業用接地を行う手順を停電作業時に簡易に確認することができ、発変電設備の停電作業における安全性を向上させることができる。
【発明の効果】
【００２８】
この発明によると、作業担当者、運転責任者、制御所担当者の各端末がそれぞれネットワークを介してサーバに接続されていることから、停電作業における作業進捗状況または作業指示を表す作業項目データを各端末にそれぞれが入力することで、サーバを介して情報を共有化することができる。従って、作業担当者及び運転責任者、制御所担当者がそれぞれ相互に作業の進捗状況や作業指示を把握したうえで円滑に停電作業を進めることができる。その結果、無駄な作業を削減したり作業時間を短縮したりすることによって停電作業の効率化を図ることができる。
【図面の簡単な説明】
【００２９】
【図１】本発明の実施の形態に係る作業進捗状況管理システムの概略を説明する図である。
【図２】同じく、本発明の実施の形態に係る作業進捗状況管理システムのサーバに入力される作業項目データの概略を説明する図である。
【図３】同じく、サーバに入力された作業項目データの画面表示状態の概略を説明する図である。
【図４】選択された作業項目データが各端末の画面に表示された状態の概略を説明する図である。
【図５】作業項目データのうち「作業着手」項目内に組み込まれたプログラムの概略を説明する図である。
【図６】作業項目データのうち「事務所出発」項目内に組み込まれたプログラムの概略を説明する図である。
【図７】作業項目データのうち「乙アース・危険区画標示付け」項目内に組み込まれたプログラムの概略を説明する図である。
【図８】本発明の実施の形態に係る作業進捗状況管理システムを用いた停電作業の概略を説明する図である。
【図９】従来の停電作業の概略を説明する図である。
【発明を実施するための形態】
【００３０】
次に、本発明の実施の形態について、図１〜図８に基づいて説明する。
【００３１】
図１は、本発明の実施の形態に係る作業進捗状況管理システムの概略を説明する図である。図示のように、作業進捗状況管理システム（以下、単に「システム」という）１０は、電力供給事業者である電力会社の事業所３０、発変電設備３２、及び発変電設備３２を遠隔操作する制御所３４に亘って構築される。このシステム１０は、事業所３０に配置されるサーバ１２、発変電設備３２において用いられる作業担当者用端末１４及び運転責任者用端末１６、制御所３４に配置される制御所用端末１８を主要構成として備える。
【００３２】
サーバ１２は、電力会社に所属する管理者４０によって操作され、作業担当者用端末１４は、電力会社に所属するとともに管理者４０の指揮監督下にある作業担当者４２によって操作される。同じく、運転責任者用端末１６は、電力会社に所属するとともに管理者４０の指揮監督下にある運転責任者４４によって操作され、制御所用端末１８は、発変電設備３２を遠隔操作する制御所３４の制御所担当者４６によって操作される。
【００３３】
これら作業担当者用端末１４、運転責任者用端末１６及び制御所用端末１８は、ネットワーク、本実施の形態では無線のローカルエリアネットワーク（無線ＬＡＮ）を介してサーバ１２に接続されている。
【００３４】
サーバ１２は、発変電設備３２における停電作業で実行される停電作業内容を表す作業項目データ２０を格納するデータベース１２ｃを備える。このデータベース１２ａに格納される作業項目データ２０は、電力会社に所属する作業担当者４０が行う停電作業内容を表す作業担当者用作業項目データ２２、電力会社に所属する運転責任者４２が行う停電作業内容を表す運転責任者用作業項目データ２４、制御所３４の制御所担当者４６が行う停電作業内容を表す制御所担当者用作業項目データ２６によって構成される。
【００３５】
作業担当者用端末１４は、作業担当者用作業項目データ２２が表示される表示部１４ａを備えるとともに、作業担当者用作業項目データ２２に表される停電作業内容の作業進捗状況が作業担当者作業進捗状況データ２２ａとして入力される入力部１４ｂを備える。
【００３６】
運転責任者用端末１６は、運転責任者用作業項目データ２４が表示される表示部１６ａを備えるとともに、運転責任者用作業項目データ２４に表される停電作業内容の作業進捗状況が運転責任者作業進捗状況データ２４ａとして入力され、かつ作業担当者４２への作業指示が運転責任者作業指示データ２４ｂとして入力される入力部１６ｂを備える。
【００３７】
制御所担当者用端末１８は、制御所担当者用作業項目データ２６が表示される表示部１８ａを備えるとともに、制御所担当者用作業項目データ２６に表される停電作業の作業進捗状況が制御所作業進捗状況データ２６ａとして入力され、かつ運転責任者４４への作業指示が制御所作業指示データ２６ｂとして入力される入力部１８ｂを備える。
【００３８】
次に、システム１０の各部の構成について、具体的に説明する。
【００３９】
サーバ１２は、停電作業内容における全ての作業進捗状況及び作業指示が表示される表示部１２ａ、及び全ての作業進捗状況に基づく作業指示が作業管理指示データ２７ａ〜２７ｃとして入力される入力部１２ｂを備える。更に、入力された作業管理指示データ２７ａ〜２７ｃを作業担当者用端末１４、運転責任者用端末１６、制御所担当者用端末１８に送信する図示しない送信部を備える。
【００４０】
作業管理指示データ２７ａ〜２７ｃは、作業担当者用端末１４に対して送信される作業管理指示データ２７ａ、運転責任者用端末１６に対して送信される作業管理指示データ２７ｂ、及び制御所用端末１８に対して送信される作業管理指示データ２７ｃによって構成される。これら作業管理指示データ２７ａ〜２７ｃは、停電作業内容における全ての作業進捗状況及び作業指示を把握する管理者４０が、作業の進行度合いに応じて各者に具体的な指示を与えるために各端末に送信されるものである。具体的には、例えば、作業担当者４２が行う停電作業内容の一部に遅れが発生している場合は、管理者４０が作業担当者４２に遅れを解消するための指示をサーバ１２の入力部１２ｂから入力し、入力した内容を、メールやポップアップ表示等によって送信する。作業担当者４２は、送信された内容を、作業担当者用端末１４の表示部１４ａで確認することができる。
【００４１】
なお、表示部１２ａに表示される全ての作業進捗状況及び作業指示とは、入力された作業担当者作業進捗状況データ２２ａ、運転責任者作業進捗状況データ２４ａ、運転責任者作業指示データ２４ｂ、制御所作業進捗状況データ２６ａ及び制御所作業指示データ２６ｂによって更新された作業項目データ２０をいう。そして、これら入力された作業担当者作業進捗状況データ２２ａ、運転責任者作業進捗状況データ２４ａ、運転責任者作業指示データ２４ｂ、制御所作業進捗状況データ２６ａ及び制御所作業指示データ２６ｂは、データベース１２ａに蓄積される。
【００４２】
一方、サーバ１２は、外部インターネット網にアクセス可能に構成されるとともに、特定のウェブサイトからインターネット情報を入手する情報取得手段、本実施の形態では、道路交通情報及び事業所３０から発変電設備３２までの走行ルートを特定のウェブサイトから取得する道路交通情報取得プログラム１２ｂを有する。道路交通情報取得プログラム１２ｂによって取得されたインターネット情報は、データベース１２ａに格納されて蓄積される。
【００４３】
図２は、サーバ１２に入力される作業項目データ２０の概略を説明する図である。図示のように、作業項目データ２０は、発変電設備３２の停電作業で実行される項目によって構成され、本実施の形態では、出動準備から実作業実施を経て事業所着までの２０項目によって構成されている。サーバ１２に入力された作業項目データ２０はデータベース１２ａに格納され、作業担当者用端末１４、運転責任者用端末１６及び制御所用端末１８の各端末における入力によって、サーバ１２のデータベース１２ｃが更新される。
【００４４】
次に、作業担当者用端末１４、運転責任者用端末１６、制御所用端末１８の各端末の構成について、再び図１を参照して説明する。
【００４５】
作業担当者用端末１４及び運転責任者用端末１６は、携帯電話や、携帯情報端末（ＰＤＡ）等の既存の携帯端末によって構成される。制御所用端末１８は、発変電設備３２の運転状態や制御所３４による遠隔操作状態を監視可能であって、既存のパーソナルコンピュータ等によって構成されている。これら作業担当者用端末１４、運転責任者用端末１６及び制御所用端末１８の画面上では、サーバ１２に入力された作業項目データ２０を確認することができる。
【００４６】
図３は、サーバ１２に入力された作業項目データ２０の画面表示状態の概略を説明する図である。管理者４４によって入力された作業項目データ２０は、図示のように、表形式で「作業項目選択一覧」として各端末の画面表示部に表示される。この作業項目選択一覧は、停電作業で実行される項目が列挙された「停電作業項目」、停電作業項目のうち作業担当者４２が選択した停電作業項目を表示する「作業担当者選択項目」を備える。同様に、停電作業項目のうち運転責任者４４が選択した停電作業項目を表示する「運転責任者選択項目」、制御所３４の制御所担当者４６が選択した停電作業項目を表示する「制御所選択項目」、管理者４０が選択した停電作業項目を表示する「管理者選択項目」を備える。
【００４７】
この作業項目選択一覧に列挙された停電作業項目の中から、管理者４０、作業担当者４２、運転責任者４４及び制御所担当者４６のそれぞれが、各自必要な停電作業項目を選択する。停電作業項目の選択は、管理者４０、作業担当者４２、運転責任者４４、制御所担当者４６の各自が操作する作業担当者用端末１４、運転責任者用端末１６、サーバ１２、制御所用端末１８を用いて入力される。これら各端末の入力部は、キーボードであっても、各端末の表示部に表示される各項目やアイコンに触れて選択するタッチパネル方式であってもよい。本実施の形態では、作業担当者用端末１４及び運転責任者１６、サーバ１２、制御所用端末１８のいずれにおいてもキーボードが採用される。
【００４８】
図４は、作業項目選択一覧から管理者４０、作業担当者４２、運転責任者４４、制御所担当者４６が選択した作業項目データ２０が、管理者４０、作業担当者４２、運転責任者４４、制御所担当者４６の各端末に表示された状態を説明する図である。図４（ａ）で示すように、作業担当者４２が選択した「出動準備」等の１４項目が、作業担当者用端末１４の表示部１４ａに作業担当者選択項目として表示される。同様に、図４（ｂ）で示すように、運転責任者４４が選択した「事業所出発」等の１４項目が、運転責任者用端末１６の表示部１６ａに運転責任者選択項目として表示され、図４（ｃ）で示すように、管理者４０が選択した各項目がサーバ１２の表示部１２ａに管理者選択項目として表示され、図４（ｄ）で示すように、制御所担当者４６が選択した各項目が制御所担当者端末１８の表示部１８ａに制御所担当者選択項目として表示される。
【００４９】
これら管理者４０、作業担当者４２、運転責任者４４、制御所担当者４６が選択した作業項目データ２０のみを表示する画面では、各端末を操作する者によって停電作業の作業進捗状況が入力される。例えば、図４（ａ）で示す作業担当者用端末１４の表示部１４ａに表示される作業担当者選択項目では、作業担当者４２が電力会社の事業所３０から現地に向けて出発した際に、作業担当者４２が「出動準備」項目の前にＧＵＩ表示されるチェックボックスにチェックを入力すると、その内容がサーバ１２のデータベース１２ａに保存される。
【００５０】
各端末の画面表示部に表示される作業項目選択一覧から、各端末における作業担当者選択項目、運転責任者選択項目、管理者選択項目、制御所担当者選択項目への切り替えは、例えば、本実施の形態では、作業項目選択一覧が表示されている場合において、作業担当者選択項目、運転責任者選択項目、制御所担当者選択項目、管理者選択項目のうち画面表示を必要とする項目を選択することによって容易に切り換え可能に構成されている。
【００５１】
次に、作業項目データ２０のうち任意の作業項目データ２０と関連づけられて作動するプログラムの概略を説明する。
【００５２】
図５は、作業項目データ２０のうち「作業着手」項目と関連づけられて作動するプログラムの概略を説明する図である。図示のように、本実施の形態では、作業着手の項目に対応する作業内容を実行する直前または直後に、当該作業を行う者、例えば、作業着手の項目を作業項目データ２０から選択した作業担当者４２及び運転責任者４４にメールを送信するように構成されている。
【００５３】
図５（ａ）で示すように、まず、作業項目データ２０の作業着手の項目が入力される際に、停電作業実施計画に沿った作業着手の予定時刻が「事前登録時刻」として管理者４０によって予め入力される。本実施の形態では、午前９時１０分が作業着手の事前登録時刻として入力される。このとき、事前登録時刻の直前である午前９時１０分と事前登録時刻の直後である午前９時２０分に、メールを送信するように時刻が入力される。これにより、午前９時に、作業担当者４２及び運転責任者４４のそれぞれの端末である作業担当者用端末１４及び運転責任者用端末１６に、作業着手１０分前である旨を知らせるメールがサーバ１２から送信される。一方、事前登録時刻の１０分後である午前９時２０分に、作業担当者４２及び運転責任者４４のそれぞれの端末である作業担当者用端末１４及び運転責任者用端末１６に、作業着手から１０分が経過した旨の確認を行うメールがサーバ１２から送信される。
【００５４】
なお、図５（ｂ）で示すように、メールによる通知は事前登録時刻の直前のみ、あるいは直後のみであってもよく、時間設定も事前登録時刻の１０分前や１０分後に限定されず、停電作業実施計画に沿って所望の時間に自由に設定できる。また、作業着手の項目に限らず、作業開始や作業終了等の他の項目においても、必要に応じてメールを送信するように構成してもよい。
【００５５】
更に、本実施の形態では、例えば、運転責任者４４が停電作業に着手したことを宣告すべく作業着手項目にその進捗状況を入力すると、作業着手項目を選択した作業担当者４２にメールが送信されるように構成されている。
【００５６】
図６は、作業項目データ２０のうち「事業所出発」項目と関連づけられて作動するプログラムの概略を説明する図である。図示のように、本実施の形態では、道路交通情報取得プログラム１２ｂによって取得された情報に基づいて、事業所３０から発変電設備３２の現地へ向かう作業担当者４０及び運転責任者４２が現地に到着するまでの予定時刻及び走行ルートが算出される機能を有するプログラムが、事業所出発の項目と関連して作動するように構成されている。
【００５７】
まず、作業担当者４０及び運転責任者４２が、作業担当者用端末１４及び運転責任者用端末１６の表示部１４ａ、１６ａに作業担当者選択項目、運転責任者選択項目を表示させている場合において、作業担当者４２及び運転責任者４４が事業所出発の項目を選択すると、特定のウェブサイトから道路交通情報取得プログラム１２ｂが取得してサーバ１２内に格納した走行ルート情報と道路交通情報とがサーバ１２で演算処理される。例えば、複数ある走行ルートの中から、渋滞情報により渋滞していることが判明しているルートを除外し、他の残りの走行ルートで現地到着まで最短のものを算出して選択する。事業所３０から発変電設備３２までの選択された走行ルート及び当日の道路交通情報に基づいた到着予定時刻が、事業所出発の項目のプルダウンメニュー２０ａとして表示される。
【００５８】
図７は、作業項目データ２０のうち作業担当者用作業項目データ２２に含まれる「乙アース・危険区画標示付け」項目に含まれる作業内容を詳細に説明する情報を表示する作業内容表示機能としてのプログラムの概略を説明する図である。図示のように、本実施の形態では、乙アース・危険区画標示付けの項目に対応する具体的な作業内容を表示するように構成されている。
【００５９】
まず、作業用接地の乙アースを設置する場所が、管理者４４によってサーバ１２に予め入力される。作業担当者４２及び運転責任者４４が、作業担当者用端末１４及び運転責任者用端末１６の表示部１４ａ、１６ａに作業担当者選択項目、運転責任者選択項目を表示させている場合において、作業担当者４２及び運転責任者４４が乙アース・危険区画標示付けの項目を選択すると、発変電設備３２において乙アースを取り付ける場所が、乙アース・危険区画標示付けの項目のプルダウンメニュー２０ｂとして表示される。
【００６０】
なお、乙アース・危険区画標示付けの項目に限らず、中間検査等の項目に対応する具体的な作業内容を表示するように構成してもよい。
【００６１】
次に、本発明の実施の形態におけるシステム１０を用いた停電作業を実行する際の事前準備について説明する。
【００６２】
停電作業に先立って、図２で示した作業項目データ２０が管理者４０によってサーバ１２に入力される。作業項目データ２０が入力されると、この内容がデータベース１２ａに格納されて記憶される。この作業項目データ２０の入力の際に、任意の作業項目データ２０内と関連して作動するプログラムの設定も行う。本実施の形態では、上述したメール送信プログラム、発変電設備３２への到着予定時刻及び走行ルートを表示するプログラム、及び乙アースを設置する場所を表示するプログラムの設定が行われる。
【００６３】
メール送信プログラムの設定では、本実施の形態では、作業開始項目、作業着手項目、作業終了項目、作業完了項目について、事前登録時刻が設定され、それぞれの事前登録時刻の１０分前に、上記項目を選択した者にメールが送信されるように設定される。同様に、これらの項目に制御所作業指示データ２６ｂ、運転責任者作業指示データ２４ｂ、作業担当者作業進捗状況データ２２ａ、制御所作業進捗状況データ２６ａがそれぞれ入力されると、これらの項目を選択した者に入力完了のメールが送信されるように設定される。
【００６４】
管理者４４によってサーバ１２に作業項目データ２０が入力されると、作業確認票が作成される。この作業確認票が作業担当者４２、運転責任者４４、制御所担当者４６に配布され、作業確認票をもとに各自の作業分担を事前に確認する。
【００６５】
管理者４０によって作業項目データ２０がサーバ１２に入力されるとデータベース１２ｃが更新され、作業担当者用端末１４及び運転責任者用端末１６がサーバ１２にアクセスすることによって、作業担当者用端末１４及び運転責任者用端末１６の表示部１４ａ、１６ａにおいて図３で示した作業項目選択一覧を閲覧することができる。作業担当者用端末１４及び運転責任者用端末１６では、作業担当者４２及び運転責任者４４が、作業項目データ２０のうち発変電設備３２の現地において発変電設備３２の停電作業に必要な作業項目データ２０のみを作業確認票に基づいて選択する。選択した後、作業項目選択一覧の画面表示を図４（ａ）及び（ｂ）で示した作業担当者選択項目及び運転責任者選択項目の画面表示に切り替える。
【００６６】
サーバ１２では、管理者４０が、作業項目データ２０のうち事業所３０において発変電設備３２の停電作業に必要な作業項目データ２０のみを選択する。選択した後、サーバ１２の画面表示における作業項目選択一覧の画面表示を、図４（ｃ）で示した管理者選択項目の画面表示に切り替える。なお、事業所３０の管理者４０による停電作業の監視は、本実施の形態ではサーバ１２によって行っているが、サーバ１２に接続した別個の端末を用いてもよい。
【００６７】
一方、管理者４０によって作業項目データ２０が入力されると、制御所用端末１８でサーバ１２にアクセスすることによって、制御所用端末１８の表示部１８ａにおいて作業項目選択一覧を閲覧することができる。制御所用端末１８では、制御所担当者４６が、作業項目データ２０のうち制御所３４において発変電設備３２の停電作業に必要な作業項目データ２０のみを作業確認票に基づいて選択する。選択した後、作業項目選択一覧の画面表示を図４（ｄ）で示した制御所担当者選択項目の画面表示に切り替える。
【００６８】
上記準備の完了により、作業担当者４２、運転責任者４４、制御所担当者４６の作業内容が決定した後、管理者４０を交えて実際の停電作業の打ち合わせを行う。この打ち合わせの後、実際の停電作業に移行する。
【００６９】
次に、本発明の実施の形態におけるシステム１０を用いた停電作業について、図８を用いて説明する。なお、本実施の形態では、作業項目データ２０として、図４（ａ）〜（ｄ）で示した作業担当者選択項目、運転責任者選択項目、管理者選択項目、制御所担当者選択項目に掲げた作業項目データが、それぞれ作業担当者４２、運転責任者４４、制御所４６、管理者４０によって選択された場合を例として説明する。
【００７０】
図８は、発変電設備３２の停電作業の概略を説明する図である。図示のように、停電作業は、作業担当者４２、運転責任者４４、及び制御所担当者４６の協働によって実行される。なお、本実施の形態では、作業担当者４２と運転責任者４４とが同じ電力供給事業者の別の事業所に所属している場合を例として説明する。
【００７１】
まず、作業担当者４２及び運転責任者４４が、電力供給事業者の事業所３０に配置される作業担当者用端末１４及び運転責任者用端末１６を携帯する。そして、作業担当者４２が、停電作業に必要な道具や部材等を準備する。これにより、停電作業を行う発変電設備３２に出発する準備が完了する。出発準備が完了した時点で、作業担当者４２が、作業担当者用端末１４で、作業担当者選択項目の「出動準備」項目の前に表示されたチェックボックスにチェックを入力する（Ｓ７０：出動準備）。作業担当者用端末１４に入力された内容によって、サーバ１２が更新されてデータベース１２ｃに保存される。
【００７２】
出動準備の完了に伴い、作業担当者４２は発変電設備３２に向かって事業所３０を出発し、運転責任者４４も、作業担当者４２とは別の事業所３０から発変電設備３２に向かって出発する。作業担当者４２及び運転責任者４４は、事業所３０の出発に伴い、作業担当者用端末１４及び運転責任者用端末１６で、作業担当者選択項目及び運転責任者選択項目の「事業所出発」項目の前に表示されたチェックボックスにチェックを入力する（Ｓ７１：事業所出発）。作業担当者用端末１４及び運転責任者用端末１６に入力された内容によって、サーバ１２が更新されてデータベース１２ｃに保存され、作業担当者４２及び運転責任者４４は相互に運転責任者４４及び作業担当者４２が事業所３０を出発したか否かを知ることができる。
【００７３】
事業所出発の項目を選択すると、現地到着までの予定時刻及び走行ルートをプルダウンメニュー２０ａで表示するプログラムが事業所出発の項目と関連して作動するように構成されていることから、作業担当者４２及び運転責任者４４がそれぞれ、必要に応じて事業所出発の項目を選択してプルダウンメニュー２０ａを表示させて、到着予定時刻及び現地までの走行ルートを確認することができる。
【００７４】
作業担当者４２及び運転責任者４４の発変電設備３２への到着に伴い、作業担当者４２及び運転責任者４４が、作業担当者用端末１４及び運転責任者用端末１６で、作業担当者選択項目及び運転責任者選択項目の「現地到着」項目の前に表示されたチェックボックスにチェックを入力する（Ｓ７２：現地到着）。作業担当者用端末１４及び運転責任者用端末１６に入力された内容によって、サーバ１２が更新されてデータベース１２ｃに保存され、作業担当者４２及び運転責任者４４は相互に運転責任者４４及び作業担当者４２が現地に到着したか否かを知ることができる。また、管理者４０及び制御所担当者４６も、その入力内容に基づいて作業担当者４２あるいは運転責任者４４が現地に到着したか否かを知ることができる。
【００７５】
制御所担当者４６は、作業担当者４２及び運転責任者４４の現地到着により、遠隔操作によって発変電設備３２を停止させて電力系統を停電させる。停電操作の終了後、制御所担当者４６が、制御所用端末１８で、制御所選択項目の「停電操作」項目の前に表示されたチェックボックスにチェックを入力する（Ｓ７３：停電操作）。制御所用端末１８に入力された内容によって、サーバ１２が更新されてデータベース１２ｃに保存され、「停電操作」項目を運転責任者選択項目に選択した運転責任者４４においても、制御所３４が停電操作を終了したことを運転責任者用端末１６によって知ることができる。
【００７６】
引き続き、制御所担当者４６は、発変電設備３２の停電作業を開始すべく、制御所選択項目の「作業開始」項目の前に表示されたチェックボックスにチェックを入力する（Ｓ７４：作業開始）。これにより、制御所作業指示データ２６ｂが入力されたこととなる。制御所用端末１８に入力された内容によって、サーバ１２が更新されてデータベース１２ｃに保存され、「作業開始」項目を運転責任者選択項目及び管理者選択項目に選択した運転責任者４４及び管理者４０においても、制御所３４が停電作業の開始を指示したことを知ることができる。
【００７７】
作業開始の項目には、上記のように、作業開始の項目と関連して作動するメール送信プログラムが構成されていることから、事前登録時刻の１０分前に、制御所担当者４６、運転責任者４４、管理者４０に、作業開始時刻が近づいている旨を報知するメールが送信される。また、作業開始項目のチェックボックスにチェックを入力すると、作業開始項目を選択した運転責任者４４及び管理者４０に、入力が完了した旨のメールが送信される。
【００７８】
停電作業の開始により、運転責任者４４が発変電設備３２の現地において、発変電設備３２の現地における停電操作を行う。この停電操作の終了後、運転責任者４２が、運転責任者用端末１６で、運転責任者選択項目の「現地停電操作」項目の前に表示されたチェックボックスにチェックを入力する（Ｓ７５：現地停電操作）。運転責任者用端末１６に入力された内容によって、サーバ１２が更新されてデータベース１２ｃに保存される。本実施の形態では、「現地停電操作項目」は、運転責任者４４以外には選択されていないことから、運転責任者４４による当該項目の入力は、運転責任者４４自身の作業選択項目の作業確認のために入力することとなる。
【００７９】
発変電設備３２の現地での停電操作が行われた後に、発変電設備３２の点検や工事等の実作業に着手することとなる。停電操作の終了に引き続いて、運転責任者４４が、運転責任者用端末１６で、運転責任者選択項目の「作業着手」項目の前に表示されたチェックボックスにチェックを入力する（Ｓ７６：作業着手）。これにより、運転責任者作業指示データ２４ｂが入力されたこととなる。運転責任者用端末１６に入力された内容によって、サーバ１２が更新されてデータベース１２ｃに保存され、「作業着手」項目を作業担当者選択項目及び管理者選択項目に選択した作業担当者４２及び管理者４０においても、運転責任者４４によって「作業着手」項目にチェックが入力されたことを知ることができる。
【００８０】
作業着手の項目は、上記のように、作業着手の項目と関連して作動するメール送信プログラムが構成されていることから、事前登録時刻の１０分前に、運転責任者４４、作業担当者４２、管理者４０に作業着手時刻が近づいている旨を報知するメールが送信される。また、作業着手項目のチェックボックスにチェックを入力すると、作業着手項目を選択した作業担当者４２及び管理者４０に、入力が完了した旨のメールが送信される。
【００８１】
作業着手項目の入力によって作業着手が指示された後、作業担当者４２によって実作業が実行される。この実作業ではまず、作業用接地を行うための乙アースの取り付け及び危険区画への標示の取り付けが行われ、その後、発変電設備３２の点検や工事等の実作業や中間検査が実行される。これらの工程において、作業担当者４２は、各工程の終了とともに、作業担当者用端末１４で、作業担当者選択項目の「乙アース・危険区画標示付け」、「実作業実施」、「中間検査」及び「シーケンス検査」の各項目の前に表示されたチェックボックスにチェックを入力する（Ｓ７７：乙アース・危険区画標示付け、Ｓ７８：実作業実施、Ｓ７９：中間検査、Ｓ８０：シーケンス検査）。
【００８２】
作業担当者用端末１４に入力された内容によって、サーバ１２が更新されてデータベース１２ｃに保存される。本実施の形態では、「実作業実施」項目及び「中間検査」項目は、作業担当者４２以外には選択されていないことから、作業担当者４２による当該項目の入力は、作業担当者４２自身の作業確認のために入力することとなる。
【００８３】
乙アース・危険区画標示付けの項目には、上記のように、乙アースを取り付ける場所及び危険区画標示を付ける場所が予め入力されていることから、作業担当者４２が乙アース・危険区画標示付けの項目を作業担当者用端末１４で選択すると、プルダウンメニュー２０ｂが表示され、作業担当者４２が取付箇所を現地で確認しながら作業を進めることができる。
【００８４】
シーケンス検査が終了すると、停電作業における実作業が終了することとなる（Ｓ８１：実作業終了）。サーバ１２には、管理者４０によって「実作業終了」の項目が作業項目一覧に入力されているが、この項目は、本実施の形態では、作業担当者４２、運転責任者４４、管理者４０及び制御所担当者４６のいずれにも選択されていないことから、各端末には「実作業終了」の項目は表示されていない。
【００８５】
実作業の終了に伴って、引き続き、作業担当者４２によって、乙アース及び危険区画標示の取り外し作業が行われる。作業担当者４２は、この乙アース及び危険区画標示の取り外し作業の終了とともに、作業担当者用端末１４で、作業担当者選択項目の「乙アース・危険区画標示外し」の項目の前に表示されたチェックボックスにチェックを入力する（Ｓ８２：乙アース・危険区画標示外し）。作業担当者用端末１４に入力された内容によって、サーバ１２が更新されてデータベース１２ａに保存され、「乙アース・危険区画標示外し」項目を選択した運転責任者４４においても、作業担当者４２によって「乙アース・危険区画標示外し」項目にチェックが入力されたことを知ることができる。
【００８６】
乙アース及び危険区画標示の取り外し作業が終了すると、停電作業が終了する。乙アース及び危険区画標示の取り外し作業の終了に引き続き、作業担当者４２は、作業担当者用端末１４で、作業担当者選択項目の「作業終了」の項目の前に表示されたチェックボックスにチェックを入力する（Ｓ８３：作業終了）。これにより、作業担当者作業進捗状況データ２２ａが入力されたこととなる。作業担当者用端末１４に入力された内容によって、サーバ１２が更新されてデータベース１２ｃに保存され、「作業終了」項目を選択した運転責任者４４、制御所担当者４６及び管理者４０においても、作業担当者４２によって「作業終了」項目にチェックが入力されたことを知ることができる。
【００８７】
作業終了の項目は、上記のように、作業終了の項目と関連して作動するメール送信プログラムが構成されていることから、事前登録時刻の１０分前に、運転責任者４４、制御所担当者４６、管理者４０に作業終了時刻が近づいている旨を報知するメールが送信される。また、作業終了項目のチェックボックスにチェックを入力すると、作業終了項目を選択した運転責任者４４、制御所担当者４６及び管理者４０に、入力が完了した旨のメールが送信される。
【００８８】
作業終了項目の入力によって作業終了が宣告された後、運転責任者４４によって発変電設備３２の現地において発変電設備３２の復旧操作が実行される。発変電設備３２が現地で復旧された後、運転責任者４４は、運転責任者用端末１６で、運転責任者選択項目の「現地復旧操作」の項目の前に表示されたチェックボックスにチェックを入力する（Ｓ８４：現地復旧操作）。
【００８９】
運転責任者用端末１６に入力された内容によって、サーバ１２が更新されてデータベース１２ｃに保存され、「現地復旧操作」項目を選択した制御所担当者４６においても、運転責任者４４によって「現地復旧操作」項目にチェックが入力されたことを知ることができる。
【００９０】
現地復旧操作の終了を知った制御所担当者４６は、制御所用端末１８で、制御所担当者選択項目の「作業完了」の項目の前に表示されたチェックボックスにチェックを入力する（Ｓ８５：作業完了）。これにより、制御所作業進捗状況データ２６ａが入力されたこととなる。制御所用端末１８に入力された内容によって、サーバ１２が更新されてデータベース１２ｃに保存され、「作業完了」項目を選択した作業担当者４２、運転責任者４４及び管理者４０においても、制御所担当者４６によって「作業完了」項目にチェックが入力されたことを知ることができる。
【００９１】
作業完了の項目は、上記のように、作業完了の項目と関連して作動するメール送信プログラムが構成されていることから、事前登録時刻の１０分前に、運転責任者４４、作業担当者４２、管理者４０に作業完了時刻が近づいている旨を報知するメールが送信される。
【００９２】
また、作業完了項目のチェックボックスにチェックを入力すると、作業完了項目を選択した作業担当者４２、運転責任者４４及び管理者４０に、入力が完了した旨のメールが送信される。
【００９３】
作業完了の表示に引き続き、制御所担当者４６は、発変電設備３２を遠隔操作によって復旧させる。発変電設備３２を遠隔操作で復旧させた後は、制御所担当者４６は、制御所用端末１８で、制御所担当者選択項目の「復旧操作」の項目の前に表示されたチェックボックスにチェックを入力する（Ｓ８６：復旧操作）。
【００９４】
制御所用端末１８に入力された内容によって、サーバ１２が更新されてデータベース１２ｃに保存される。本実施の形態では、「復旧操作」項目は、制御所担当者４６以外には選択されていないことから、制御所担当者４６による当該項目の入力は、制御所担当者４６自身の作業確認のために入力することとなる。
【００９５】
作業完了の表示がなされた後、作業担当者４２及び運転責任者４４によって、停電作業の事後処理が実行される。この事後処理では、発変電設備３２の現場の確認作業が行われる。確認終了後は、現地を出発して事業所３０に向かう。これらの過程において、作業担当者４２及び運転責任者４４は、各過程の終了とともに、作業担当者用端末１４及び運転責任者用端末１６で、作業担当者選択項目及び運転責任者選択項目の「現場確認」、「現地出発」及び「事業所着」の各項目の前に表示されたチェックボックスにチェックを入力する（Ｓ８７：現場確認、Ｓ８８：現地出発、Ｓ８９：事業所着）。
【００９６】
上記工程等を経て、発変電設備３２の停電作業が終了する。この停電作業にシステム１０を用いることによって、停電作業の開始から終了までの間に亘って、管理者４０、作業担当者４２、運転責任者４４及び制御所担当者４６との間において、停電作業で実行される作業内容を項目としてデータ化した作業項目データ２０を、各者が必要な項目のデータを選択した上で共有することができる。各者によって選択されたデータに、他者によって作業の進捗状況に関する情報が入力された場合も、各者間でデータを共有していることから、他者が現時点でどのような作業を実行しているかを把握することができる。従って、各者との間で連携が必要な停電作業において、一の工程から次の工程への移行が円滑に行われることから、停電作業を円滑に実行することができる。
【００９７】
停電作業を実行する作業担当者４２及び運転責任者４４を管理する管理者４０は、停電作業において作業担当者４０及び運転責任者４２が実行している作業の進捗状況を把握することができることから、停電作業を効率的に進めるべく作業管理指示データ２７ａをサーバ１２に入力して、現地に作業指示を具体的に行うことが可能となる。
【００９８】
停電作業は、一つの発変電設備３２において、停電作業の実施に先立って策定された停電作業実施計画に基づいて定期的に、例えば半年おき、あるいは１年おきに実行される。システム１０を用いて実行された今回の停電作業の内容は、工程ごとに時系列的に、今回の停電作業の実績としてデータベース１２ｃに蓄積されて保存されることから、この実績データを、次回の停電作業実施計画を策定する際、あるいは次回の停電作業を実行する際の統計データとして用いることができる。例えば、今回の停電作業において、作業終了時刻が大幅に遅れた等の不具合が発生した場合に、今回の実績データを基にして、次回の計画策定の際に改善策を立てることができる。
【００９９】
また、本実施の形態では、道路交通情報が特定のウェブサイトから取得されてデータベース１２ａに保存されることから、例えば、特定の月、特定の日において、事業所３０から発変電設備３２に向かう特定の走行ルートが混雑する等の傾向をも把握することができ、走行ルートの変更やそれに伴う停電作業内容の変更等を適切に行うことができる。
【０１００】
なお、本発明は上記実施の形態に限定されることはなく、発明の趣旨を逸脱しない範囲で種々変更可能である。例えば、作業項目データ２０の任意の項目に、ある工程を実行した際のコメントや留意点を作業担当者４２、運転責任者４４及び制御所担当者４６が書き込むことができるように構成してもよい。次回の停電作業を行う際の作業の効率化に資する。
【０１０１】
上記実施の形態では、事務所出発の項目、及び乙アース・危険区画標示付けの項目を選択した際にプルダウンメニュー２０ａが表示される場合を説明したが、他の作業項目データ２０を選択した際にプルダウンメニューが表示されるように構成してもよい。例えば、実作業実施の項目で停電作業内容を表示するように構成したり、現場確認の項目で確認場所等を表示するように構成したりすることもできる。具体的な作業内容を含めて、管理者４０、作業担当者４２、運転責任者４４及び制御所担当者４６の間で、情報を共有化することができる。
【０１０２】
上記実施の形態では、作業開始項目データ、作業着手項目データ、作業終了項目データ及び作業完了項目データにおいて登録された事前登録時刻の１０分前に、上記各項目を選択した者にメールを送信する場合を例として説明したが、メールに限定されずに、例えばポップアップ表示によって通知するように構成しても、メールによる通知と同様の効果を得ることができる。
【符号の説明】
【０１０３】
１０  作業進捗状況管理システム
１２  サーバ
１２ｃ  データベース
１４  作業担当者用端末
１６  運転責任者用端末
１８  制御所用端末
２０  作業項目データ
２２  作業担当者作業項目データ
２２ａ  作業担当者作業進捗状況データ
２４  運転責任者作業項目データ
２４ａ  運転責任者作業進捗状況データ
２４ｂ  運転責任者作業指示データ
２６  制御所担当者作業項目データ
２６ａ  制御所作業進捗状況データ２６ａ
２６ｂ  制御所作業指示データ
２７ａ〜２７ｃ  作業管理指示データ
３０  事業所
３２  発変電設備
３４  制御所
４２  作業担当者
４４  運転責任者
４６  制御所担当者
【図１】
2012256206.tif 000003
【図２】
2012256206.tif 000004
【図３】
2012256206.tif 000005
【図４】
2012256206.tif 000006
【図５】
2012256206.tif 000007
【図６】
2012256206.tif 000008
【図７】
2012256206.tif 000009
【図８】
2012256206.tif 000010
【図９】
2012256206.tif 000011